(57)【要約】      （修正有）【課題】直管形蛍光管及び照明器具に対し、容易且つ安全に取り付けることができ、人に違和感を感じさせることなく消費電力を低減することができる蛍光灯アダプタを提供する。【解決手段】直管形蛍光管５０が収納可能に筒状に形成された、透光性を有する透明パイプ２と、透明パイプ内に収容された直管形蛍光管の一端側の口金端子が透明パイプの一端から突出した状態で、直管形蛍光管の一端部を保持する保持手段３と、透明パイプ内に設けられ、直管形蛍光管の他端側の口金端子と係合可能なソケット４と、ソケットに設けられ、ソケットと口金端子とが係合した状態で、口金端子に電気的に接続されるメス端子５，６と、透明パイプの他端に設けられ、ソケットのメス端子と電気的に接続されるオス端子１０，１１と、オス端子を透明パイプの他端から突出した状態で保持するプラグ９とを備える。【選択図】図１
0003171554.tif 000002
【実用新案登録請求の範囲】
【請求項１】
両端に口金端子を有する直管形蛍光管に装着され、該直管形蛍光管が装着された状態で照明器具に取り付けられる蛍光灯アダプタであって、
前記直管形蛍光管が収納可能に筒状に形成された、透光性を有する透明パイプと、前記透明パイプ内に収容された直管形蛍光管の一端側の口金端子が前記透明パイプの一端から突出した状態で、前記直管形蛍光管の一端部を保持する保持手段と、前記透明パイプ内に設けられ、前記直管形蛍光管の他端側の口金端子と係合可能なソケットと、前記ソケットに設けられ、該ソケットと前記口金端子とが係合した状態で、該口金端子に電気的に接続されるメス端子と、前記透明パイプの他端に設けられ、前記ソケットのメス端子と電気的に接続されるオス端子と、前記オス端子を前記透明パイプの他端から突出した状態で保持するプラグとを備え、
前記透明パイプの一端から突出した状態で保持された前記直管形蛍光管の一端側の口金端子と、前記透明パイプの他端から突出された状態で保持された前記オス端子とが、前記照明器具に対し挿着されることを特徴とする蛍光灯アダプタ。
【請求項２】
両端に口金端子を有する直管形蛍光管に装着され、該直管形蛍光管が装着された状態で照明器具に取り付けられる蛍光灯アダプタであって、
前記直管形蛍光管が収納可能に筒状に形成された、透光性を有する透明パイプと、前記透明パイプ内に設けられ、前記直管形蛍光管の両端の口金端子とそれぞれ係合可能な一対のソケットと、前記一対のソケットにそれぞれ設けられ、該ソケットと前記口金端子とが係合した状態で、該口金端子に電気的に接続されるメス端子と、前記透明パイプの両端にそれぞれ設けられ、前記一対のソケットがそれぞれ有するメス端子と電気的に接続されるオス端子と、前記オス端子を前記透明パイプの両端からそれぞれ突出した状態で保持する一対のプラグとを備え、
前記透明パイプの両端からそれぞれ突出された状態で保持された前記オス端子が、前記照明器具に対し挿着されることを特徴とする蛍光灯アダプタ。
【請求項３】
前記透明パイプ内において、
前記直管形蛍光管が配置されない前記ソケットと前記プラグとの間には、該透明パイプの内周面に沿って印刷媒体を収容可能であることを特徴とする請求項１または請求項２に記載された蛍光灯アダプタ。
【考案の詳細な説明】
【技術分野】
【０００１】
本考案は、所定規格の直管形蛍光管（以下、単に蛍光灯とも呼ぶ）が取り付けられる照明器具に、より低電力消費の蛍光灯を取り付け可能とする蛍光灯アダプタに関する。
【背景技術】
【０００２】
オフィスなどの天井部には、例えば直管形蛍光管（蛍光灯）が設けられた照明器具が多数配列されている。昨今にあっては、節電意識の高まりによって、そのような照明器具の消費電力を低減する努力がユーザレベルで行われている。
しかしながら、蛍光灯の消費電力を低減するために、単に消費電力値の小さい（即ちワット数が小さい）蛍光灯を用いようとしても、規格上、蛍光灯の長さが短くなるため使用できなかった。
【０００３】
また、直管形のＬＥＤ蛍光灯を用いてもよいが、高価であるため導入コストが嵩張るという課題があった。或いは、いわゆる省エネ管と呼ばれる蛍光灯を用いることも方法の一つであるが、低減可能な消費電力は全体の１０％程度であった。消費電力を更に低減するには、蛍光灯を間引くことが考えられるが、例えば、直棒状の蛍光管を２本並べた直列式の二灯用蛍光灯器具にあっては、一灯を外すと、残りの一灯も点灯できなくなるという課題があった。
また、並列式の場合であっても、天井に長い蛍光灯（例えば長さ１２００ｍｍの４０Ｗの蛍光灯）を一直線状に配置した構成の場合には、間引きした部分の明るさが大幅に低減し、人に違和感を感じさせる、或いは視力の低下や事故の原因に繋がる虞があった。
【０００４】
そのような課題に対し、特許文献１には、蛍光灯を用いた既設の照明器具に、本来取り付けられるべき蛍光灯の代わりに、より消費電力が小さい（即ち全長が短い）蛍光灯を取り付け可能とする蛍光灯用器具が開示されている。
【０００５】
具体的には、図４（下面図）に示すように、蛍光灯用器具６０は、２つのアダプタ６１，６２を備えている。
それらアダプタ６１，６２は、その一端側（外側）に、蛍光灯照明器具のソケットに挿着可能な口金端子６３，６４がそれぞれ設けられている。また、アダプタ６１，６２の他端側（内側）には、前記口金端子６３，６４にそれぞれ電気的に接続されたソケット６５，６６が設けられ、それらの間に蛍光灯７０が取り付けられている。即ち、図示するように蛍光灯７０の口金端子７１，７２がソケット６５，６６にそれぞれ挿着されている。
また、蛍光灯用器具６０は、蛍光灯７０の光を下方へ効率よく照射するための反射板６７を備え、この反射板６７の下面に前記アダプタ６１，６２が固定されている。
【０００６】
このように構成された蛍光灯用器具６０によれば、本来取り付けられるべき蛍光灯の代わりに、より消費電力が小さい（即ち全長が短い）蛍光灯を取り付けることができ、消費電力を低減することができる。
【先行技術文献】
【特許文献】
【０００７】
【特許文献１】特開２０１０−７３５１１号公報
【考案の概要】
【考案が解決しようとする課題】
【０００８】
しかしながら、特許文献１に開示された蛍光灯用器具６０にあっては、反射板６７に前記アダプタ６１，６２が固定されているために、両端から口金端子７１，７２（オス端子）が突出した蛍光灯７０の取付けが容易ではないという課題があった。
また、蛍光灯用器具６０を、本来取り付けられるべき蛍光灯に代え、既設の照明器具に取り付ける場合、反射板６７と照明器具とが物理的に干渉して取り付けできない虞があった。また、取り付けの際に生じた応力により、アダプタ６１，６２と蛍光灯７０との連結部が折れ曲がり、蛍光灯７０が外れて落下する虞があった。
さらに、蛍光灯用器具６０にあっては、反射板６７を含め、高強度に形成する必要があるため、器具全体の重量が重くなり、既設の照明器具に取り付けた場合に、照明器具と連結する口金の端子部品が変形して落下する虞があった。
また、蛍光灯用器具６０を、既設の照明器具に代えて用いる場合には、その交換にかかるコストが嵩張るという課題があった。
【０００９】
本考案は、前記した点に着目してなされたものであり、直管形蛍光管に取り付けられる蛍光灯アダプタであって、直管形蛍光管及び照明器具に対し、容易且つ安全に取り付けることができ、人に違和感を感じさせることのない照射を可能とし、且つ消費電力を低減することのできる蛍光灯アダプタを提供することを目的とする。
【課題を解決するための手段】
【００１０】
前記目的を達成するため、本考案に係る蛍光灯アダプタは、両端に口金端子を有する直管形蛍光管に装着され、該直管形蛍光管が装着された状態で照明器具に取り付けられる蛍光灯アダプタであって、前記直管形蛍光管が収納可能に筒状に形成された、透光性を有する透明パイプと、前記透明パイプ内に収容された直管形蛍光管の一端側の口金端子が前記透明パイプの一端から突出した状態で、前記直管形蛍光管の一端部を保持する保持手段と、前記透明パイプ内に設けられ、前記直管形蛍光管の他端側の口金端子と係合可能なソケットと、前記ソケットに設けられ、該ソケットと前記口金端子とが係合した状態で、該口金端子に電気的に接続されるメス端子と、前記透明パイプの他端に設けられ、前記ソケットのメス端子と電気的に接続されるオス端子と、前記オス端子を前記透明パイプの他端から突出した状態で保持するプラグとを備え、前記透明パイプの一端から突出した状態で保持された前記直管形蛍光管の一端側の口金端子と、前記透明パイプの他端から突出された状態で保持された前記オス端子とが、前記照明器具に対し挿着されることに特徴を有する。
【００１１】
また、前記目的を達成するため、本考案に係る蛍光灯アダプタは、両端に口金端子を有する直管形蛍光管に装着され、該直管形蛍光管が装着された状態で照明器具に取り付けられる蛍光灯アダプタであって、前記直管形蛍光管が収納可能に筒状に形成された、透光性を有する透明パイプと、前記透明パイプ内に設けられ、前記直管形蛍光管の両端の口金端子とそれぞれ係合可能な一対のソケットと、前記一対のソケットにそれぞれ設けられ、該ソケットと前記口金端子とが係合した状態で、該口金端子に電気的に接続されるメス端子と、前記透明パイプの両端にそれぞれ設けられ、前記一対のソケットがそれぞれ有するメス端子と電気的に接続されるオス端子と、前記オス端子を前記透明パイプの両端からそれぞれ突出した状態で保持する一対のプラグとを備え、前記透明パイプの両端からそれぞれ突出された状態で保持された前記オス端子が、前記照明器具に対し挿着されることに特徴を有する。
【００１２】
このように蛍光灯アダプタを構成することによって、所定規格の直管形蛍光管よりも消費電力の小さな（長さの短い）直管形蛍光管を用いることができ、消費電力を大幅に低減することができる。
また、蛍光管自体を間引くものではないため、発光面積は小さくなるものの例えば部屋の全体を均一に照射することができ、人に違和感を感じさせずに節電することができる。
また、前記保持手段を有する構成の場合、直管形蛍光管に蛍光灯アダプタを取り付ける際には、透明パイプ内に直管形蛍光管を挿入し、前記保持手段で直管形蛍光管の端部を固定すればよいため、容易に装着することができる。また、透明パイプにより、あたかも１本の蛍光灯のように取り扱うことができ、折れ曲がることも無く、照明器具に対し容易かつ安全に取り付けることができる。
また、直管形蛍光管は、透明パイプ（弾力性を有する合成樹脂により形成されることが望ましい）内に収容されているため、外側からの衝撃から保護することができ、仮に蛍光灯アダプタが落下しても、直管形蛍光管の破損を防止することができる。
更には、合成樹脂により透明パイプを形成することにより、軽量な蛍光灯アダプタを得ることができ、照明器具との連結部にかかる負荷を大幅に軽減することができる。
【００１３】
尚、前記透明パイプ内において、前記直管形蛍光管が配置されない前記ソケットと前記プラグとの間には、該透明パイプの内周面に沿って印刷媒体を収容可能であることが望ましい。
そのように構成することで、例えばブランドロゴ等を印刷した媒体（紙、フィルムなど）を透明パイプに収容することにより、蛍光灯を広告として利用することができる。
【考案の効果】
【００１４】
本考案によれば、直管形蛍光管及び照明器具に対し、容易且つ安全に取り付けることができ、人に違和感を感じさせることのない照射を可能とし、且つ消費電力を低減することができる蛍光灯アダプタを提供することができる。
【図面の簡単な説明】
【００１５】
【図１】図１は、本考案に係る蛍光灯アダプタの全体構成を示す断面図である。
【図２】図２は、図１の蛍光灯アダプタを広告に利用した場合を示す断面図である。
【図３】図３は、本考案に係る蛍光灯アダプタの他の実施の形態を示す断面図である。
【図４】図４は、蛍光灯に取り付けて照明器具に取り付けられる従来の蛍光灯用器具の下面図である。
【考案を実施するための形態】
【００１６】
以下、本考案の実施の形態を図面に基づき説明する。図１は、本考案に係る蛍光灯アダプタの全体構成を示す断面図である。
図１に示す蛍光灯アダプタ１は、図示するように所定規格の直管形蛍光管である蛍光灯５０に取り付けられて用いられる。具体的には、前記蛍光灯５０に取り付けられた状態で、前記蛍光灯５０よりも高消費電力の規格の蛍光灯、即ち長さがより長い蛍光灯（図示せず）が取り付け可能な照明器具（図示せず）に取り付けられる。尚、所定規格の前記蛍光灯５０としては、例えば１００Ｖ−２０Ｗ形の蛍光灯が挙げられ、蛍光灯５０よりも長い前記蛍光灯としては、例えば１００Ｖ−４０Ｗ形の蛍光灯が挙げられる。
【００１７】
蛍光灯アダプタ１は、前記蛍光灯５０を収容可能であって、透光性を有する状態（例えば無色透明）に形成された円筒状のプラスチックパイプ２（透明パイプ）を備える。このプラスチックパイプ２は、耐熱性の合成樹脂により形成されている。また、このプラスチックパイプ２の一端２ａに設けられ、収容された蛍光灯５０の一端５０ａを、そのガラス管部分（外周面）に密着して保持するゴムパッキン３を備える。このゴムパッキン３によって蛍光灯５０の一端５０ａが保持されると、図示するように蛍光灯５０の一端に設けられた口金５１及びオス端子５２，５３（口金端子）がプラスチックパイプ２の一端から突出した状態となされる。
【００１８】
また、蛍光灯アダプタ１は、プラスチックパイプ２内の所定位置に配置されたソケット４を備える。このソケット４は、蛍光灯５０の他端５０ｂ側の口金５４と係合可能に形成され、口金５４のオス端子５５、５６（口金端子）がそれぞれ挿着可能なメス端子５、６が設けられている。
さらに、蛍光灯アダプタ１は、プラスチックパイプ２の他端２ｂに設けられたプラグ９を備えている。このプラグ９には、前記ソケット４のメス端子５，６（及び蛍光灯５０のオス端子５５，５６）にそれぞれリード線７，８を介して電気的に接続されたオス端子１０，１１が設けられ、それらオス端子１０，１１は、プラスチックパイプ２の他端２ｂから突出した状態となされている。尚、プラグ９の先端部、及びそれに保持されたオス端子１０，１１は、直管形蛍光管の規格に準じた形状とされ、直管形蛍光管を用いる照明器具のソケット（図示せず）に挿着可能となされている。
【００１９】
また、図１においては、ソケット４とプラグ９はそれぞれプラスチックパイプ２の内周面に密着した状態でビス１５により固定されているが、本発明に係る蛍光灯アダプタにあっては、ビス固定に限定されるものではない。例えば、ソケット４及びプラグ９の外周面とプラスチックパイプ２の内周面との間にそれぞれゴムパッキンを設け、ソケット４及びプラグ９をプラスチックパイプ２に対し密着固定させてもよい。
【００２０】
このように構成された蛍光灯アダプタ１を蛍光灯５０に取り付ける場合、最初にゴムパッキン３をプラスチックパイプ２から外した状態で、プラスチックパイプ２の端部２ａ側からプラスチックパイプ２内に蛍光灯５０を挿入する。
次いで、蛍光灯５０の端部５０ｂに設けられた口金５４のオス端子５５、５６をソケット４に設けられたメス端子５、６にそれぞれ差し込んで係合する。
そして、蛍光灯５０の端部５０ａとプラスチックパイプ２との間の隙間にゴムパッキン３を嵌め込み、蛍光灯５０の端部５０ａを固定する。これにより、蛍光灯５０に対する蛍光灯アダプタ１の装着が完了する。
【００２１】
また、このように蛍光灯アダプタ１が装着された蛍光灯５０（例えば２０Ｗ）は、より大きいワット数（例えば４０Ｗ）の直管形蛍光管（より長い蛍光管）に適合する照明器具に取り付けられる。
即ち、図１に示すように蛍光灯５０に蛍光灯アダプタ１が装着された状態では、その全長は、より大きいワット数の直管形蛍光管の長さに等しく、その両端の端子も前記のように規格に準じた形状となっている。また、プラスチックパイプ２により、あたかも１本の蛍光灯のように取り扱うことができ、折れ曲がることがなく、照明器具に対し容易に取り付けることができる。
そして、例えば２０Ｗの蛍光灯５０に蛍光灯アダプタ１が装着された状態で例えば４０Ｗ用の照明器具に取り付けられると、蛍光灯５０のオス端子５５，５６は、プラグ９に保持されたオス端子１０，１１に電気的に接続されているため、２０Ｗの蛍光灯５０は点灯可能となる。
【００２２】
以上のように本実施の形態によれば、この蛍光灯アダプタ１を用いることによって、所定規格の直管形蛍光管よりも消費電力の小さな（長さの短い）直管形蛍光管を用いることができ、消費電力を大幅に低減することができる。
また、蛍光管自体を間引くものではないため、発光面積は小さくなるものの例えば部屋の全体を均一に照射することができ、人に違和感を感じさせずに節電することができる。
また、前記したように蛍光灯５０に蛍光灯アダプタ１を取り付ける際には、プラスチックパイプ２内に蛍光灯５０を挿入し、ゴムパッキン３で蛍光灯５０の端部５０ａを固定すればよいため、容易に装着することができる。また、プラスチックパイプ２により、あたかも１本の蛍光灯のように取り扱うことができ、折れ曲がることも無く、照明器具に対し容易かつ安全に取り付けることができる。
また、蛍光灯５０は、弾力性を有する合成樹脂により形成されたプラスチックパイプ２内に収容されているため、外側からの衝撃から保護することができ、仮に蛍光灯アダプタ１が落下しても、蛍光灯５０の破損を防止することができる。
更には、プラスチックパイプ２は合成樹脂により形成されるため、軽量な蛍光灯アダプタ１を得ることができ、照明器具との連結部にかかる負荷を大幅に軽減することができる。
【００２３】
尚、図１の透明のプラスチックパイプ２において、蛍光灯５０が配置されていないソケット４とプラグ９との間は、説明のためにリード線７，８が外側から透けて見える状態としたが、それらを覆い隠す手段を設けることが望ましい。
例えば、プラスチックパイプ２内に、ブランドロゴ等を記した印刷媒体（紙、フィルム等）を挿入してもよい。その場合、前記印刷媒体をプラスチックパイプ２の内周面に沿って収容すれば、図２に示すようにプラスチックパイプ２の外側から見える広告３０として利用することができる。また、造花などの装飾品を挿入して、それを外側から見えるようにしてもよい。
【００２４】
また、プラスチックパイプ２に複数の孔を設け、パイプ内にポプリ、オイルなどの芳香物を入れ、アロマテラピーの機能を持たせてもよい。その場合、発熱によりプラスチックパイプ２内の温度が上昇することを利用して芳香を拡散させることができる。
【００２５】
また、前記実施の形態においては、蛍光灯５０の一方の口金５１（オス端子５２，５３）をプラスチックパイプ２の一端２ａ側から外側に出した状態で保持し、そのオス端子５２，５３と、他端２ｂ側のプラグ９のオス端子１０，１１とを照明器具に挿着する構成とした。
【００２６】
しかしながら、本発明に係る蛍光灯アダプタにあっては、その構成に限定されるものではなく、蛍光灯５０をプラスチックパイプ２内の任意の位置に配置してよい。
その場合、例えば、図３に示すように、蛍光灯５０をプラスチックパイプ２内の任意の位置に配置し、その一端５０ｂ側の口金５４は前記したようにソケット４に係合される。
【００２７】
一方、蛍光灯５０の他端５０ａ側の口金５１は、前記ソケット４と同様に構成されたソケット１６に係合される。具体的には、蛍光灯５０の口金５１のオス端子５２，５３がそれぞれソケット１６のメス端子１７，１８に差し込まれて係合している。前記メス端子１７，１８は、リード線１９，２０を介してオス端子２２，２３に電気的に接続され、それらオス端子２２，２３は、プラスチックパイプ２の端部２ａにおいて（他方のプラグ９と同様に構成された）プラグ２１によって保持されている。
このように構成することによって、プラスチックパイプ２内の任意の位置に蛍光灯５０を配置することができ、それにより、例えば、照射の位置を微調整することができる。
【００２８】
また、前記実施の形態においては、図１乃至図３において例えば１００Ｖ−２０Ｗ形の直管形蛍光管の蛍光灯５０を例に説明したが、駆動電圧の違いなどにより口金形状が異なる場合には、それに応じた形状にソケット４、プラグ９、ソケット１６、プラグ２１等を形成すればよい。
【００２９】
また、本発明に係る蛍光灯アダプタにあっては、部屋の天井部などに設けられた照明器具に取り付ける場合に限定されるものではない。
例えば、４０Ｗ一灯形を用いる縦型の照明器具に蛍光灯アダプタ１を装着した場合などは、プラスチックパイプ２内（透明樹脂部分）に装飾品を装填することにより、通常の事務所用器具をアート照明として利用することができる。
また、蛍光灯アダプタ１は、装着する蛍光灯を含め、略全てが合成樹脂からなるプラスチックパイプ２内に収容されるため、防水機能を有する照明器具などにも適用することができる。
【符号の説明】
【００３０】
１          蛍光灯アダプタ
２          プラスチックパイプ（透明パイプ）
３          ゴムパッキン（保持手段）
４          ソケット
５          メス端子
６          メス端子
７          リード線
８          リード線
９          プラグ
１０        オス端子
１１        オス端子
１６        ソケット
１７        メス端子
１８        メス端子
１９        リード線
２０        リード線
２１        プラグ
２２        オス端子
２３        オス端子
５０        蛍光灯（直管形蛍光管）
５１        口金
５２        オス端子
５３        オス端子
５４        口金
５５        オス端子
５６        オス端子
【図１】
0003171554.tif 000003
【図２】
0003171554.tif 000004
【図３】
0003171554.tif 000005
【図４】
0003171554.tif 000006